(57)【要約】この発明は、前壁(２)と後壁(３)を具えるハウジング（４；４”；４”’；４V）付き中見え具に係るものであり、少なくとも前壁(２)は、ハウジング（４；４”；４”’；４V）内部で対象ホルダ（６；６”；６”’；６V）上にある平坦な対象物を見るための少なくとも一の目視用開口部(５)を具える。前壁と後壁(２、３)は、双方がフラットに重なる状態の静止ポジションから観察ポジションに向かって開くように、二本の対向する連結線(７、８)に沿って連結されている。中見え具(１−１V)は静止ポジションにおいてできる限り平坦になる構造をしており、簡単に、且つ、僅かな力によって復元可能に、観察ポジションに変わることができる。前壁(２)は、観察ポジションにおいて平坦あるいは僅かに湾曲した状態となることが望ましい。この目的のために、中見え具(１−１V)のハウジング（４；４”；４”’；４V）は、折りたたみ可能であり、観察ポジションにおいて少なくとも一つの側壁を具える。ハウジング（４；４”；４”’；４V）は、梃子状に形成されたカバーエレメントによって立てることができ、このエレメントは中見え具(１−１V)の静止ポジションにおいて前壁(２)を少なくとも部分的に覆い、ハウジング（４；４”；４”’；４V）を立てるために外側に向かって回動することができる。【選択図】図２
2009517097.tif 000002
【特許請求の範囲】
【請求項１】
前壁(２)と後壁(３)を具えるハウジング（４；４”；４”’；４V  ）付きで、少なくとも前壁(２)が、ハウジング（４；４”；４”’；４V  ）内部に対象ホルダ（６；６”；６”’；６V  ）内のフラットな対象物を観察するための少なくとも一つの目視用開口部(５)を具え、前壁と後壁(２，３)が二つの対向する連結線(７、８)に沿って相互に、双方が平らに重なる状態である静止ポジションから観察ポジションに向かって開くように連結されている中見え具において、
ａ）中見え具(１−１V)は、前記前壁と後壁(２、３)の間の第一の連結線（７）の近傍で、前記前壁（２）が第一の折畳線（９）を具えており、これによって、ハウジング（４；４”；４”’；４V  ）が、観察ポジションに至ると第一の連結線（７）と第一の折畳線（９）の間に側壁（１０）を形成し、
ｂ）側壁（１０）を形成する前記前壁（２）の壁エリアに接してカバーエレメント（１１）が取付けられており、このカバーエレメントは前壁（２）を外側で少なくとも部分的に覆っている閉状態から、側壁（１０）が立てられた状態となる開ポジションに回動可能であることを特徴とする中見え具。
【請求項２】
請求項１に記載の中見え具において、中見え具（１’）の後壁（３）が対象ホルダを形成することを特徴とする中見え具。
【請求項３】
請求項１に記載の中見え具において、前壁と後壁(２、３)の間に、少なくとも一のセパレートタイプの対象ホルダ（６；６”；６”’；６V  ）が配置されており、この対象ホルダが側壁（１０）を形成する中見え具(１；１”−１V)の壁部分において、当該壁部分に堅固に連結されていることを特徴とする中見え具。
【請求項４】
請求項３に記載の中見え具において、前記対象ホルダの幅が、後壁（３）の幅に一致することを特徴とする中見え具。
【請求項５】
請求項３に記載の中見え具において、対象ホルダ（６）の幅が、後壁（３）の幅よりも小さく、前記対象ホルダ（６）が第二の連結線（８）に対向する側に折畳線（１２）を具えており、前記対象ホルダ（６）が前記カバーエレメント（１１）が開いたときにその端部（１３）で前記第二の連結線（８）の内側と、その折畳線（１２）で後壁（３）にもたれかかることを特徴とする中見え具。
【請求項６】
請求項３乃至請求項５のいずれか１項に記載の中見え具において、前壁（２）に加えて後壁（３）も少なくとも一の目視用開口部（５’）を具え、前記対象ホルダ（６V）が前記前壁（２）に対向する面と共に後壁（３）に対向する面にも対象物を設けるように構成したことを特徴とする中見え具。
【請求項７】
請求項３に記載の中見え具において、対象ホルダ（６；６”）について、ＬＣＤエレメントからなるディスプレイ、有機ディスプレイ、あるいは電子ペーパからなるディスプレイが対象となるものことを特徴とする中見え具。
【請求項８】
請求項７に記載の中見え具において、ディスプレイの制御に必要な電子回路（２２）が、少なくとも部分的に中見え具（１；１”）のハウジング（４；４”）に配置されていることを特徴とする中見え具。
【請求項９】
請求項１に記載の中見え具において、前記中見え具(１”−１V)が、前壁と後壁（２、３）の間の第二の連結線（８）の近傍において、後壁（３）に第二の折畳線（１２）を具えることによって、カバーエレメント（１１）を開けた際に箱状のハウジング（４”；４”’；４V）を構成することを特徴とする中見え具。
【請求項１０】
請求項１乃至請求項８のいずれか１項に記載の中見え具において、カバーエレメント（１１）が側壁（１０）の前端エリアに折畳線（１４）を具え、前記カバーエレメント（１１）が完全に開いたポジションで固定具（１５）によって後壁（３）の外側で固定できることを特徴とする中見え具。
【請求項１１】
請求項１０に記載の中見え具において、前記固定具（１５）がベルクロファスナであることを特徴とする中見え具。
【請求項１２】
請求項１乃至請求項１１のいずれか１項に記載の中見え具において、前記カバーエレメント（１１）が透明な材質でできており、これによって前記ハウジングに収められた写真あるいは対象物を、前壁及び後壁が静止ポジションにあっても観察者が見ることができることを特徴とする中見え具。
【請求項１３】
請求項１乃至請求項１２のいずれか１項に記載の中見え具において、前記対象ホルダをハウジング内部に配置された少なくとも一の光源によって照らすことができることを特徴とする中見え具。
【請求項１４】
請求項１３に記載の中見え具において、前記対象ホルダが透明な材質からできており、ハウジングの裏側から照らすことができることを特徴とする中見え具。
【請求項１５】
請求項１乃至請求項１４のいずれか１項に記載の中見え具において、前記カバーエレメント（１１）が側壁（１０）に堅固に連結されていることを特徴とする中見え具。
【請求項１６】
請求項１乃至請求項１５のいずれか１項に記載の中見え具において、中見え具（１”’）が、対象ホルダ（６”’）と後壁（３）との間に追加の平坦な対象物用（１９）の場所が設けられていることを特徴とする中見え具。
【請求項１７】
請求項１乃至請求項１６のいずれか１項に記載の中見え具において、中見え具（１IV ）が、前壁（２）で回動するする二の対向するカバーエレメント（１１、１１’）を具えることを特徴とする中見え具。
【請求項１８】
請求項１乃至請求項１７のいずれか１項に記載の中見え具において、前壁（２）及び／又は後壁（３）及び／又はカバーエレメント（１１）及び／又は対象ホルダ（６；６”；６”’；６V  ）が透明な材質からできているものであることを特徴とする中見え具。
【請求項１９】
請求項１乃至請求項１８のいずれか１項に記載の中見え具(１”)を複数個相互に連結した書籍状配列において、個々の中見え具(１”)が、それぞれ一の中見え具(１”)の後壁(３)がそれぞれ後続する中見え具（１”）のカバーエレメント(１１)を形成するように、第一の連結線（７）で蝶番状に相互に連結されていることを特徴とする中見え具。
【発明の詳細な説明】
【技術分野】
【０００１】
この発明は、前壁と後壁を持つハウジングを具える中見え具に係るものであり、少なくとも前壁には、ハウジング内部の対象ホルダにあるフラットな対象物を観察するための目視用開口部が設けられている。本発明は更に、相互に連結した複数の中見え具を書籍状にした配列にも関する。
【０００２】
このような中見え具はＷＯ２００５/０５１１４１ Ａ１号公報において公知である。この公知の中見え具にあっては、対象物毎とりわけ写真の空間的印象を創り出すために、対象ホルダとしてのハウジング後壁内面が観察者から離れる方向に湾曲した状態となっていいる。更に、公知の中見え具においては、ハウジング前壁の外面が観察者に向けて湾曲した状態に形成されている。
【０００３】
公知の中見え具は通常、硬い三次元のハウジングで構成されていることから、一時的な保管や輸送に際しては比較的場所をとるものであることが明らかな短所である。
【０００４】
加えてＷＯ２００５/０５１１４１ Ａ１においては、中見え具が静止ポジションにおいてフラットなカード状のカバー形状となり、それゆえに場所を取らない保管と輸送が可能となるように提案されている。中見え具を所定の使用態様で観察ポジションに移行させるためには、観察者が前壁と後壁の間の連結線で装置を片側の手で押さなければならず、その結果、ハウジングが湾曲した前壁と後壁になり、その内側、例えば後壁に観察対象である写真が存在する。
【０００５】
この装置を双方の連結線のところで押す工程は、使い方を知らない観察者にとっては、最初は説明が必要であり、観察ポジションを維持するためには双方の連結線に継続的な力を加えることが必要である。更に、通常は、観察対象となる写真の再現はできない。なぜならば前壁及び後壁の連結線上の圧力とそれによって生じる写真ホルダーの湾曲（写真の空間的印象にとって決定的である）は、観察者によってそれぞれ異なるものであるからである。結局のところ、公知のハウジングの観察ポジションにおける前壁は、同様に外側への相対的に強い湾曲を示すものであり、それは望ましくないことがしばしばある。
【０００６】
本発明での課題は、中見え具を提供することであり、この装置は静止ポジションにおいて出来る限りフラットな構造を持ち、簡単な方法で、且つ、僅かな力で、観察ポジションに変換し得るものであって、観察ポジションにあって、前壁が望ましくはフラットあるいはほんの僅かに湾曲された平面を示すものである。更に、複数の相互に連結された中見え具が書籍状となった配列を開示している。
【０００７】
この課題は、本発明によれば請求項１に記載の中見え具と、請求項１９に記載の書籍状の配列によって解決される。本発明のその他のとりわけ有益な実施例は、従属に開示されている。
【０００８】
本発明は基本的に、中見え具のハウジングとして立てられた観察ポジションにおいて、少なくとも一つの側壁を含む折畳式のハウジングを用いるものであり、梃子状に形成されたカバーエレメントによってハウジングを立てる程を実現し、このカバーエレメントは中見え具の静止ポジションにおいて、前壁を少なくとも部分的に覆い、ハウジングを立てるために外側に向かって回動可能であるという考えに基づくものである。
【０００９】
このハウジングは、前壁と後壁の間の連結線双方の一方の近くで前壁に追加の折畳線を具えており、その結果、この連結線と折畳線の間の部分がハウジングを立てる際に側壁を形成している。カバーエレメントは望ましくは外側が、観察ポジションにおいて側壁になる前壁の部分と堅固に連結されているため、カバーエレメントが開放ポジション側へ向かって動くことによって、前壁のこの領域が一緒に向きを変え、それによってもう一方の前壁に対向して直立する。
【００１０】
公知の中見え具を操作するとき、ハウジングを立てるために前壁と後壁の間の連結線を押さなくてはならないのとは異なり、ハウジングを立てるための追加説明が本発明による中見え具では不要である。カバーエレメントを開くこと（例えば書籍で、その都度に表紙を開く、あるいはグリーティングカードの前面部分を開くなど）はよく知られており、この装置の使用者は、自動的に正しく実行するからである。
【００１１】
カバーエレメントを用いることによって、中見え具のハウジングを立てることが実現され、通常、中見え具を片手で持ち、ハウジングを立てる際にはカバーエレメントが他方の手で保持されることになる。カバーエレメントの幅は本質的に、側壁を形成する前壁エリアよりも広いために（梃子の原理）、観察者から加わる力は相対的に小さい。
【００１２】
観察対象物は後壁の内側に直接配置される（対象ホルダはこの場合、後壁そのものである）か、もしくは前壁と後壁の間に配置される追加の対象ホルダである。これは望ましくは少なくとも観察ハウジングの一方の側に堅固に連結されており、その長さは中見え具のハウジングの対向する面に跨って支えられるように設定される。
【００１３】
それぞれの対象物の空間的印象を観察者にもたらすために、対象ホルダーが湾曲した形状を有するには、対象ホルダは、観察ポジションにおいて、このポジションで観察者に正対する前壁の幅よりも幅が広くなくてはならない。
【００１４】
後壁には、第二の連結線の部分で前壁に相当する折畳線が無い限り、観察者に正対する前壁の幅は、ハウジングを立てる場合に後壁の幅に比べて側壁部分に相当する分が短かくなり、これによって後壁が外側へ向かって一定の湾曲となる。中見え具の後壁が同時に対象ホルダを形成する場合、対象ホルダに配置された対象物の空間的印象が表出し、この空間的印象はカバーエレメントが回動する動線の変化によって変わる。ここではハウジングの前面が基本的にフラットになる。
【００１５】
本発明による中見え具の更なる実施例においては、前壁と後壁の間の第二の連結線の領域に折畳線を持つ後壁もあり、その結果、カバーエレメントを手段として装置を静止ポジションから観察ポジションに開くと、箱状のハウジングとなり、そのハウジングは側壁と同じ幅で基本的に四角形の断面を具える。
【００１６】
本発明の第三の実施例においては、その側壁を形成する前壁の前端領域にカバーエレメントが折畳線を具えており、この結果、カバーエレメントは簡単な方法で後壁の後ろまで全体をすっぽりと包み込むことができ、このポジションで固定具（例えばベルクロテープ）によって外側で解除可能に後壁と連結することができる。
【００１７】
望ましくは、前壁に加えて後壁にも、ハウジング内にある対象物の観察のための少なくとも一つの目視用開口部を設けるようにしても良い。この場合、ハウジング内に配置したセパレートタイプの対象ホルダは、ハウジングの前壁に対向する面で対象物を保持すると共に、後壁に対向する面でも対象物を受ける役を果たす。
【００１８】
ハウジングとカバーエレメントの材料としては、厚紙や合成樹脂の他に、好適な金属も適用可能である。また、硬質な材料と柔軟な材料、不透明な材料と透明な材料など、接着によって相互に結合させた素材のような、材料の組み合わせも可能である。
【００１９】
とりわけカバーエレメントが透明な材料（例えば透明なＰＶＣラップ）からできているのであれば、前壁と後壁が静止ポジションにあっても、ハウジングに収められた対象物（写真あるいは物体）を観察者が見ることができる。カバーエレメントだけでなく、前壁と後壁も透明な材料で構成することもできる。
【００２０】
更に、対象ホルダーが少なくともハウジング内部に収納した光源によって照らされるようにしてもよい。この場合、対象ホルダーを透明な材料で構成して、ハウジングの背面から照らすこともできる。
【００２１】
とりわけ宣伝目的では、中見え具に、別の平坦な対象物（例えばＣＤ及び／又は本等）を収めるための追加の空間を形成することも可能である。
【００２２】
更に、中見え具を立てたときの安定性を高めるために、前壁と後壁の第二の連結線の領域で回動するカバーエレメントを設けることもできる。更に双方のカバーエレメントを対称に配置することによって、カバーエレメントを一つだけ用いた場合より、中見え具が観察者にとって視覚的に好ましい効果をもたらすことがある。
【００２３】
図１乃至図３では、符号１で本発明による中見え具が示されている。これは基本的に前壁２と後壁３を具えるハウジング４によって構成され、前壁２にハウジング４内部でセパレートタイプの対象ホルダ６に保持された写真（図示せず）を見るための目視用開口部５が設けられている。
【００２４】
柔軟性のある材質からなる前壁２と後壁３は、それぞれ連結線７及び８を共に形成している二つの対向する側方の縁部分で連結されており、フラットに重なっているハウジング４の静止ポジションから、第一もしくは第二の観察ポジションに、開くことができる。
【００２５】
中見え具１の前壁２は、第一の連結線７の近くにこれに並行して延在している第一の折畳線９を具えており、これによって第一の連結線７と第一の折畳線９の間にある前壁２の領域１０が、ハウジング４を立てたときに、第一の観察ポジション（図２）に至り、第一の側壁を形成する。
【００２６】
本発明によって前壁２を用いてハウジング４を立てる工程は、中見え具１の静止ポジションにおいて少なくとも前壁２を部分的に覆っているカバーエレメント１１が、前壁２の当該領域と堅固に（あるいは一体的に）外側で連結して側壁１０を形成し、開ポジションに回動することによって、カバーエレメント１１が側壁１０を形成している前壁２の領域を連動させる。
【００２７】
カバーエレメント１１を用いることによって、ハウジング４を立てることができるようになり、この場合、通常、中見え具１を片方の手で、ハウジング４を立てた合にはカバーエレメント１１を他方の手で持つ。
【００２８】
図１乃至図３に示す実施例において、観察者に向けられた前壁２の幅は、ハウジング４を立てる場合には、側壁１０を形成している分だけ後壁３の幅に対して短縮されているので、後壁３の湾曲は外に向けられることになる。
【００２９】
写真ホルダ６は、側壁１０を形成している中見え具１の壁部分に堅固に（例えば接着による連結で）連結されており、写真ホルダ６の幅は後壁３の幅よりも幾分狭く、更に、第二の連結線８の側には折畳線１３を具えている。これによって、カバーエレメント１１を第一の観察ポジション（図２）まで開けると、写真ホルダ６は湾曲しないか、あるいは軽く湾曲された状態になり、ここでは写真ホルダ６はその第二の端部１３で第二の連結線８の内側にもたれかかっている。
【００３０】
次いで、カバーエレメント１１が第二の観察位置に更に移行する（図３）と、写真ホルダ６が押されて同様に外側に湾曲した状態になり、その結果、これに相応して写真ホルダ６に配置された写真が同様の湾曲状態となり、観察者に空間的印象をもたらす。
【００３１】
図４においては、中見え具１’が記載されており、カバーエレメント１１は側壁１０を形成している前壁２のエリアに堅固に固定されているのではなく、当該側壁を形成している折畳線１４付前壁部分の前端エリアに装着されている。これによって、カバーエレメント１１は簡単に後壁３の後方に回り込むことが可能となり、このポジションで固定具（例えば、ベルクロファスナ）１５によって後壁３の外側に固定することが可能となり、自在に立つ中見え具おなる。この場合は、予め折畳線１４に基づいて側壁１０を特徴付けている前壁２のエリアが連動しないので、カバーエレメント１１が１８０°の角度に達すれば、当然のことながら、ハウジングを立てる工程が最初に生じる。
【００３２】
この中見え具１’では、後壁３が写真ホルダとしての役を果たしており、後壁３はその内側に存在する写真１７用の留具１６を具える。
【００３３】
図４に見られるとおり、中見え具１’全体は例えば厚紙あるいは合成樹脂フォイルあるいは薄板を相応しい形に折り畳むことによって、簡単に作ることができる。
【００３４】
図５及び図６に記載された本発明による中見え具１”は、前壁２と後壁３の第二の連結線８の領域に第二の折畳線１８を有する後壁３を具えており、観察ポジション（図６）において基本的に矩形断面を有する箱状のハウジング４”となる。
【００３５】
ここでは、後壁３が写真ホルダとして作用して当然湾曲しない写真ホルダ面となるか、あるいは図５及び図６に記載されたとおりのセパレートタイプの写真ホルダー６”を用いることもできる。このホルダは観察ポジション（図６）においては前壁２もしくは後壁３の幅よりも広い幅を持つ結果、カバーエレメント１１が開かれたポジション（図６）に回動する際に、写真ホルダ（及びそれによって観察対象の写真も）は後壁３に向けて湾曲することになる。
【００３６】
図７は、図６に相当する中見え具１”’の平断面図であり、ここではハウジング４”’の中に写真ホルダ６”’に描かれた写真に加えて、平坦な物体１９（例えばＣＤ）が写真ホルダ６”’と後壁３の間に格納されている。
【００３７】
図８及び図９は中見え具１IVの平断面図であり、ここでは中見え具が商品受入容器２０（例えば書籍２１）に連結されており、対称に向かい合って配置された二つのカバーエレメント１１，１１’が設けられている。ここでは図９に符号１１で示した左側のカバーエレメントは、中見え具１IVを開くための役割を果たすに過ぎず、これに対して、右側のカバーエレメント１１’は、全体の配置の安定性を向上させているに過ぎない。
【００３８】
最後に図１０は、本発明による中見え具１Vの平断面図であり、ここでは前壁及び後壁２、３にそれぞれ目視用開口部５、５’が設けられている。この場合、ハウジング４Vの内側に配置されたセパレートタイプの対象ホルダあるいは写真ホルダ６Vは、写真もしくはその他の対象物を、前壁２に対向する面と共に後壁３に対抗する面にも配置するよう構成されている。このような中見え具は例えば献立表に適用することができる。
【００３９】
本発明は当然のことながら、上述の実施例に限定されるものではない。本発明による中見え具によって、例えばコイン、切手、商品券などのようなフラットな対象物を掲示することができ、これらは例えば後壁に配設された平面もしくは湾曲した書き割り前に提示されることになる。
【００４０】
更に、一の対象ホルダに代えて、軸上に前後して配置した二の対象ホルダを中見え具のハウジングの内部に配置したものもある。この場合、観察者が第一の対象ホルダの上に配置された第一の写真を通して、後側の第二の対象ホルダーの上に配置された第二の写真を透かして見ることができる。
【００４１】
更に、前壁は必ずしもそうではないが、柔軟性のある材質でできている。これは、通常、変形するものではないので、硬質な素材を適用してもよい。
【００４２】
同じことがカバーエレメントにも言える。カバーエレメントが中見え具ハウジングの後壁の外側に固定され、後壁が湾曲して形成されていれば、カバーエレメントも同様に柔軟性の有る素材で構成することが望ましい。
【００４３】
本発明による複数の中見え具では、三次元対象物を一方の側で（書籍の表紙に）蝶番状に相互に連結するように構成したものもある。この構成によって、個々の対象物が次々と見えるようになり、この場合、中見え具が静止ポジションにあるときに対象物が観察されるのではなく、中見え具が観察ポジションに在るときにのみ、対象物が観察される。
【００４４】
これに相当する実施例は図１１に示されている。ここでは、それぞれ第一の連結線７で蝶番状に相互に連結されている個々の中見え具が、基本的に図５及び図６に示す中見え具１”に相当する。最後（最上部）の中見え具１”を除いて、それぞれの中見え具１”の後壁３は、同時に、後続の中見え具１”のカバーエレメント１１としての役目を果たしている。
【００４５】
本発明による中見え具の対象ホルダにおいて、ＬＣＤや有機ディスプレイ（ＯＬＥＤ）、電子ペーパなども対象となる。このような場合、ディスプレイの制御用電子回路が同様に中見え具の内部に設けられていれば有利であることは明らかである。そのような中見え具に相当する二つの実施例が図１２及び図１３に示されている。
【００４６】
図１２に示す実施例では、図５及び図６に相当する箱状ハウジングを具える中見え具が対象となり、対象ホルダ６”として有機ディスプレイが用いられている。ディスプレイの制御用電子回路２２を具えるこれに相当するチップは、ハウジング４”の側縁に設けられている。
【００４７】
図１３は基本的に図１２に相当する中見え具を示しており、ここではハウジング４の後壁３（図１乃至図３に相当）が湾曲して形成されている。
【図面の簡単な説明】
【００４８】
本発明の更なる個別事項や長所は、以下に図面に基づいて説明される実施例から導き出される。
【図１】図１は、本発明による中見え具の第一の実施例の斜視図であり、ハウジングが静止ポジションにある。
【図２】図２は、図１に示す中見え具の斜視図であり、ハウジングが第一の観察ポジションにある。
【図３】図３は、図１に示す中見え具の斜視図であり、ハウジングが第二の観察ポジションにある。
【図４】図４は、図２に対応する中見え具の断面図であり、カバーエレメントが後壁の背面に向かって回りこんでおり、そこで固定することができる。
【図５】図５は、本発明による中見え具の図解された第二実施例の平断面図であり、ハウジングが静止ポジションにある。
【図６】図６は、本発明による中見え具の図解された第二実施例の平断面図であり、ハウジングが観察ポジションにある。
【図７】図７は、図６の中見え具の平断面図であり、ハウジングの中には追加的に観察対象となるＣＤやＤＶＤのような平坦な物品が格納されている。
【図８】図８は、本発明による中見え具の更なる実施例の平断面図であり、中見え具は書籍用の商品格納容器と結合され、二つの対称に配置されたカバーエレメントが設けられている。
【図９】図９は、本発明による中見え具の更なる実施例の平断面図であり、中見え具は書籍用の商品格納容器と結合され、二つの対称に配置されたカバーエレメントが設けられている。
【図１０】図１０は、本発明による中見え具の実施例の平断面図であり、前壁にも後壁にもそれぞれ一の目視用開口部が設けられている。
【図１１】図１１は、複数の中見え具からなる書籍状の配列を示す。
【図１２】図１２は、対象ホルダ付きの中見え具であり、有機ディスプレイが対象である。
【図１３】図１３は、対象ホルダ付きの中見え具であり、有機ディスプレイが対象である。
【符号の説明】
【００４９】
１−１V                    中見え具
２                          前壁
３                          後壁
４、４”、４”’、４V      ハウジング
５、５’                    目視用開口部
６、６”、６”’、６V      対象ホルダ、写真ホルダ
７                        （第一の）連結線
８                        （第二の）連結線
９                        （第一の）折畳線
１０                        エリア、側壁
１１、１１’                カバーエレメント
１２                        折畳線
１３                        端部
１４                        折畳線
１５                        固定具
１６                        留具
１７                        対象、写真
１８                       （第二の）折畳線
１９                        対象物
２０                        商品受入容器
２１                        書籍
２２                        電子回路
【図１】
2009517097.tif 000003
【図２】
2009517097.tif 000004
【図３】
2009517097.tif 000005
【図４】
2009517097.tif 000006
【図５】
2009517097.tif 000007
【図６】
2009517097.tif 000008
【図７】
2009517097.tif 000009
【図８】
2009517097.tif 000010
【図９】
2009517097.tif 000011
【図１０】
2009517097.tif 000012
【図１１】
2009517097.tif 000013
【図１２】
2009517097.tif 000014
【図１３】
2009517097.tif 000015
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
前壁(２)と後壁(３)を具えるハウジング（４；４”；４”’；４V  ）付きで、少なくとも前壁(２)が、ハウジング（４；４”；４”’；４V  ）内部に対象ホルダ（６；６”；６”’；６V  ）内のフラットな対象物を観察するための少なくとも一つの目視用開口部(５)を具え、前壁と後壁(２，３)が二つの対向する連結線(７、８)に沿って相互に、双方が平らに重なる状態である静止ポジションから観察ポジションに向かって開くように連結されている中見え具において、
ａ）中見え具(１−１V)は、前記前壁と後壁(２、３)の間の第一の連結線（７）の近傍で、前記前壁（２）が第一の折畳線（９）を具えており、これによって、ハウジング（４；４”；４”’；４V  ）が、観察ポジションに至ると第一の連結線（７）と第一の折畳線（９）の間に側壁（１０）を形成し、
ｂ）側壁（１０）を形成する前記前壁（２）の壁エリアに接してカバーエレメント（１１）が取付けられており、このカバーエレメントは前壁（２）を外側で少なくとも部分的に覆っている閉状態から、側壁（１０）が立てられた状態となる開ポジションに回動可能であることを特徴とする中見え具。
【請求項２】
請求項１に記載の中見え具において、中見え具（１’）の後壁（３）が対象ホルダを形成することを特徴とする中見え具。
【請求項３】
請求項１に記載の中見え具において、前壁と後壁(２、３)の間に、少なくとも一のセパレートタイプの対象ホルダ（６；６”；６”’；６V  ）が配置されており、この対象ホルダが側壁（１０）を形成する中見え具(１；１”−１V)の壁部分において、当該壁部分に堅固に連結されていることを特徴とする中見え具。
【請求項４】
請求項３に記載の中見え具において、前記対象ホルダの幅が、後壁（３）の幅に一致することを特徴とする中見え具。
【請求項５】
請求項３に記載の中見え具において、対象ホルダ（６）の幅が、後壁（３）の幅よりも小さく、前記対象ホルダ（６）が第二の連結線（８）に対向する側に折畳線（１２）を具えており、前記対象ホルダ（６）が前記カバーエレメント（１１）が開いたときにその端部（１３）で前記第二の連結線（８）の内側と、その折畳線（１２）で後壁（３）にもたれかかることを特徴とする中見え具。
【請求項６】
請求項３乃至請求項５のいずれか１項に記載の中見え具において、前壁（２）に加えて後壁（３）も少なくとも一の目視用開口部（５’）を具え、前記対象ホルダ（６V）が前記前壁（２）に対向する面と共に後壁（３）に対向する面にも対象物を設けるように構成したことを特徴とする中見え具。
【請求項７】
請求項３に記載の中見え具において、対象ホルダ（６；６”）について、ＬＣＤエレメントからなるディスプレイ、有機ディスプレイ、あるいは電子ペーパからなるディスプレイが対象となるものことを特徴とする中見え具。
【請求項８】
請求項７に記載の中見え具において、ディスプレイの制御に必要な電子回路（２２）が、少なくとも部分的に中見え具（１；１”）のハウジング（４；４”）に配置されていることを特徴とする中見え具。
【請求項９】
請求項１に記載の中見え具において、前記中見え具(１”−１V)が、前壁と後壁（２、３）の間の第二の連結線（８）の近傍において、後壁（３）に第二の折畳線（１２）を具えることによって、カバーエレメント（１１）を開けた際に箱状のハウジング（４”；４”’；４V）を構成することを特徴とする中見え具。
【請求項１０】
請求項１乃至請求項８のいずれか１項に記載の中見え具において、カバーエレメント（１１）が側壁（１０）の前端エリアに折畳線（１４）を具え、前記カバーエレメント（１１）が完全に開いたポジションで固定具（１５）によって後壁（３）の外側で固定できることを特徴とする中見え具。
【請求項１１】
請求項１０に記載の中見え具において、前記固定具（１５）がベルクロファスナであることを特徴とする中見え具。
【請求項１２】
請求項１乃至請求項１１のいずれか１項に記載の中見え具において、前記カバーエレメント（１１）が透明な材質でできており、これによって前記ハウジングに収められた写真あるいは対象物を、前壁及び後壁が静止ポジションにあっても観察者が見ることができることを特徴とする中見え具。
【請求項１３】
請求項１乃至請求項１２のいずれか１項に記載の中見え具において、前記対象ホルダをハウジング内部に配置された少なくとも一の光源によって照らすことができることを特徴とする中見え具。
【請求項１４】
請求項１３に記載の中見え具において、前記対象ホルダが透明な材質からできており、ハウジングの裏側から照らすことができることを特徴とする中見え具。
【請求項１５】
請求項１乃至請求項１４のいずれか１項に記載の中見え具(１”)を複数個相互に連結した書籍状配列において、個々の中見え具(１”)が、それぞれ一の中見え具(１”)の後壁(３)がそれぞれ後続する中見え具（１”）のカバーエレメント(１１)を形成するように、第一の連結線（７）で蝶番状に相互に連結されていることを特徴とする中見え具。
【国際調査報告】
2009517097.tif 000016
2009517097.tif 000017
2009517097.tif 000018
2009517097.tif 000019
2009517097.tif 000020
2009517097.tif 000021